(57)【特許請求の範囲】
【請求項１】
かごに設けられ、光信号を発光する第１の発光手段と、
前記かごの前記第１の発光手段と対向する位置に設けられ、前記かごとかご側ドアの間を通る前記光信号を反射する第１の反射板と、
乗場床に設けられ、前記第１の反射板により反射された前記光信号を反射する第２の反射板と、
乗場天井に設けられ、前記第２の反射板により反射され、かつ乗場と乗場側ドアの間を通る前記光信号を反射する第３の反射板と、
前記かごに設けられ、前記第３の反射板により反射された前記光信号を受光する受光手段と、
着床時に、前記第１の発光手段から発光された光信号を前記受光手段により受光しない場合には、前記乗場側ドア及び前記かご側ドアの開閉動作を行わないドア制御手段と、
階間に設けられ、故障診断用光信号を発光する第２の発光手段と、
かご走行中に前記第２の発光手段を発光させる制御盤とを備え、
前記ドア制御手段は、前記受光手段が前記第２の発光手段からの故障診断用光信号を、前記第２の発光手段が設置されている位置をかごが通過するタイミングで受光しない場合には、前記受光手段の故障であると診断し、前記乗場側ドア及び前記かご側ドアを低速戸開閉動作となるよう制御する
ことを特徴とするエレベータードアの引込まれ防止装置。
【請求項２】
前記ドア制御手段は、前記受光手段が前記第２の発光手段からの故障診断用光信号を、前記第２の発光手段が設置されている位置をかごが通過するタイミングで受光する場合に、前記故障診断用光信号の受光レベルが基準値未満のときには、前記受光手段の劣化であると診断し、前記乗場側ドア及び前記かご側ドアを低速戸開閉動作となるよう制御する
ことを特徴とする請求項１記載のエレベータードアの引込まれ防止装置。
【請求項３】
前記ドア制御手段は、前記受光手段が前記第２の発光手段からの故障診断用光信号を、前記第２の発光手段が設置されている位置をかごが通過するタイミングで受光する前記故障診断用光信号の受光レベルと、着床時に前記受光手段が受光する前記第１の発光手段からの光信号の受光レベルのレベル差が基準値以上のときには、前記第１、第２及び第３の反射板の少なくともいずれかが汚れていると診断し、前記乗場側ドア及び前記かご側ドアを低速戸開閉動作となるよう制御する
ことを特徴とする請求項１記載のエレベータードアの引込まれ防止装置。
【発明の詳細な説明】
【技術分野】
【０００１】
この発明は、複数の反射板とかごに設置された光電装置により、乗場側とかご側の両方の引込まれを検知することができるエレベータードアの引込まれ防止装置に関するものである。
【背景技術】
【０００２】
従来のエレベータードアの引込まれ防止装置においては、乗場側に設けられた光電装置により、引込まれを検知すると、シリアル通信により、一旦、制御装置に引込まれ検出を伝える。その後、制御装置からドア開閉装置へ、検出信号を送り、戸開閉制御を行う（例えば、特許文献１参照）。
【０００３】
【特許文献１】特開２００５−１３２５６４号公報
【発明の開示】
【発明が解決しようとする課題】
【０００４】
上述したような従来のエレベータードアの引込まれ防止装置では、各階の乗場毎に光電装置を設けなければならなかったので、装置が複雑になるという問題点があった。
【０００５】
この発明は、上述のような課題を解決するためになされたもので、その目的は、かごだけに光電装置を設け、装置を簡便にすることができるエレベータードアの引込まれ防止装置を得るものである。
【課題を解決するための手段】
【０００６】
この発明に係るエレベータードアの引込まれ防止装置は、かごに設けられ、光信号を発光する第１の発光手段と、前記かごの前記第１の発光手段と対向する位置に設けられ、前記かごとかご側ドアの間を通る前記光信号を反射する第１の反射板と、乗場床に設けられ、前記第１の反射板により反射された前記光信号を反射する第２の反射板と、乗場天井に設けられ、前記第２の反射板により反射され、かつ乗場と乗場側ドアの間を通る前記光信号を反射する第３の反射板と、前記かごに設けられ、前記第３の反射板により反射された前記光信号を受光する受光手段と、着床時に、前記第１の発光手段から発光された光信号を前記受光手段により受光しない場合には、前記乗場側ドア及び前記かご側ドアの開閉動作を行わないドア制御手段と、階間に設けられ、故障診断用光信号を発光する第２の発光手段と、かご走行中に前記第２の発光手段を発光させる制御盤とを設け、前記ドア制御手段は、前記受光手段が前記第２の発光手段からの故障診断用光信号を、前記第２の発光手段が設置されている位置をかごが通過するタイミングで受光しない場合には、前記受光手段の故障であると診断し、前記乗場側ドア及び前記かご側ドアを低速戸開閉動作となるよう制御するものである。
【発明の効果】
【０００７】
この発明に係るエレベータードアの引込まれ防止装置は、かごだけに光電装置を設ければ足りるので、装置を簡易にすることができるという効果を奏する。
【発明を実施するための最良の形態】
【０００８】
実施の形態１．
この発明の実施の形態１に係るエレベータードアの引込まれ防止装置について図１を参照しながら説明する。図１は、この発明の実施の形態１に係るエレベータードアの引込まれ防止装置の構成を側面からみた図である。なお、各図中、同一符号は同一又は相当部分を示す。
【０００９】
図１において、この実施の形態１に係るエレベータードアの引込まれ防止装置は、かご２０の上側に設置されたドア制御装置（ドア制御手段）１と、かご２０の上側に取付けられた光電装置の投光器（第１の発光手段）２と、かご２０の下側に取付けられた鏡などの反射板（第１の反射板）３と、乗場１０側の乗場床１２に取付けられた鏡などの反射板（第２の反射板）４と、乗場１０側の乗場天井１３に取付けられた鏡などの反射板（第３の反射板）５と、かご２０の上側に取付けられた光電装置の受光器（受光手段）６とが設けられている。
【００１０】
投光器２〜受光器６は、ドアの引き込み側に設けられている。例えば、片開きのドア１枚の場合には、投光器２〜受光器６は、ドアが開いて格納される側の端に設けられている。また、両開きのドア２枚の場合には、投光器２〜受光器６は、ドアが開いて格納される側の両端にそれぞれ設けられている。
【００１１】
乗場１０側の乗場床１２に取付けられた反射板４と、乗場１０側の乗場天井１３に取付けられた反射板５は、各階の乗場毎に設けられている。
【００１２】
つぎに、この実施の形態１に係るエレベータードアの引込まれ防止装置の動作について図面を参照しながら説明する。
【００１３】
このように構成したエレベータードアの引込まれ防止装置は、着床時に、ドア制御装置１からの指令により、光電装置の投光器２が鉛直方向の下へ光信号を発する。この光信号は、かご２０とかご側ドア２１の間のかご内を通り、かご２０の下側にある反射板３に達する。次に、反射板４へ向け光信号が反射板３により水平方向へ９０度方向転換する。
【００１４】
さらに、その光信号は、反射板４により鉛直方向の上へ再度９０度方向転換し、乗場１０と乗場側ドア１１の間を通り、反射板５へ向け進む。最後に、反射板５により水平方向へ９０度方向転換した光信号は、光電装置の受光器６に達する。この受光器６は、ドア制御装置１へ受光信号を送り、ドア制御装置１は、戸開閉動作となるよう戸開閉指令をドア開閉装置（図示せず）に出力して、乗場側ドア１１とかご側ドア２１の正常な開閉動作を行う。
【００１５】
乗場１０側やかご２０側で乗客の手などの異物により光信号が遮られ、受光器６の受光信号がドア制御装置１に送られないと、ドア制御装置１は開閉動作を行わない。
【００１６】
つまり、かご２０側に取付けられた１組の光電装置で、乗場１０側とかご２０側の両方の引込まれを検出できるため、各階の乗場毎に引込まれ防止装置を取付ける必要がなくなるため、コストが削減できる。
【００１７】
なお、図１において、投光器２と受光器６の位置を逆にし、光信号を図１に示す経路と逆方向にしても良い。すなわち、光信号の経路を投光器２→反射板５→反射板４→反射板３→受光器６としても良い。
【００１８】
また、図１において、投光器２と受光器６をかご２０の下側に設置し、反射板３をかご２０の上側に設置しても良い。投光器２を反射板４へ向けて発光できるよう設置するとともに、受光器６を反射板３からかご２０とかご側ドア２１の間を通ってきた光信号を受光できるよう設置した場合、光信号の経路は、投光器２→反射板４→反射板５→反射板３→受光器６となる。さらに、投光器２と受光器６の位置を逆にし、光信号の経路を逆方向にしても良く、光信号の経路は、投光器２→反射板３→反射板５→反射板４→受光器６となる。
【００１９】
実施の形態２．
この発明の実施の形態２に係るエレベータードアの引込まれ防止装置について図２から図５までを参照しながら説明する。図２は、この発明の実施の形態２に係るエレベータードアの引込まれ防止装置の構成を側面からみた図である。
【００２０】
上記の実施の形態１では、着床時に光電装置をＯＮ／ＯＦＦさせ、乗場側ドア１１やかご側ドア２１の近くの物体を検出し、引込まれを防止するように構成したが、着床時は、乗客の手などの物体を検出しているか、光電装置が故障しているかの区別がつかない。そこで、この実施の形態２では、光電装置などの故障診断等を行う。
【００２１】
図２において、階間に光電装置の投光器（第２の発光手段）７を取付け、かご２０が走行を開始すると制御盤１００により投光器７を発光させ、かご２０が走行中に投光器７からの故障診断用光信号を受光器６が検出することにより、受光器６のＯＦＦ／ＯＮ故障の診断ができる。なお、制御盤１００により投光器７を発光させているタイミング等の情報は、ドア制御装置１に伝えられている。
【００２２】
投光器７は、１箇所の階間に設けても良いし、複数箇所の階間や、階間毎に設けても良い。例えば、投光器７は、１階と２階の間に設けても良いし、１階と２階の間と、最上階と最上階から１つ下の階の間の２箇所に設けても良い。
【００２３】
つぎに、この実施の形態２に係るエレベータードアの引込まれ防止装置の動作について図面を参照しながら説明する。図３は、この発明の実施の形態２に係るエレベータードアの引込まれ防止装置の光電装置の故障診断動作を示すタイミングチャートである。
【００２４】
受光器６の故障診断において、正常時には、図３（Ａ１）〜（Ａ５）に示すように、制御盤１００は、かご２０が走行中に投光器７を発光（ＯＮ）させる。受光器６が投光器７からの故障診断用光信号を、制御盤１００からの位置情報に基づき、投光器７が設置されている位置をかご２０が通過するタイミングで受光（ＯＮ）すると、ドア制御装置１は受光器６が正常であると診断する。その結果、ドア制御装置１は、遠隔監視装置１０１へ故障検出信号（ローレベル）を送信しない。また、遠隔監視装置１０１は、情報センター２００に対しセンサ故障発報（ローレベル）として発報しない。
【００２５】
ＯＦＦ故障時には、図３（Ｂ１）〜（Ｂ６）に示すように、制御盤１００は、かご２０が走行中に投光器７を発光（ＯＮ）させる。受光器６が投光器７からの故障診断用光信号を、投光器７が設置されている位置をかご２０が通過するタイミングで受光（ＯＦＦ）しないと、ドア制御装置１は受光器６がＯＦＦ故障であると診断する。その結果、ドア制御装置１は、遠隔監視装置１０１へ故障検出信号（ハイレベル）を送信する。同時に、ドア制御装置１は、低速戸開閉動作となるよう低速戸開閉指令をドア開閉装置（図示せず）に出力して乗場側ドア１１、かご側ドア２１を制御する。また、遠隔監視装置１０１は、情報センター２００に対しセンサ故障発報（ハイレベル）として発報する。
【００２６】
ＯＮ故障時には、図３（Ｃ１）〜（Ｃ６）に示すように、制御盤１００は、かご２０が走行中に投光器７を発光（ＯＮ）させる。受光器６が投光器７からの故障診断用光信号を走行開始直後に受光（ＯＮ）する（投光器７が設置されている位置をかご２０が通過するタイミング以外で受光（ＯＮ）する）と、ドア制御装置１は受光器６がＯＮ故障であると診断する。その結果、ドア制御装置１は、遠隔監視装置１０１へ故障検出信号（ハイレベル）を送信する。同時に、ドア制御装置１は、低速戸開閉動作となるよう低速戸開閉指令をドア開閉装置（図示せず）に出力して乗場側ドア１１、かご側ドア２１を制御する。また、遠隔監視装置１０１は、情報センター２００に対しセンサ故障発報（ハイレベル）として発報する。
【００２７】
上述したように、光電装置のＯＦＦ／ＯＮ故障を検出すると、ドア制御装置１は、低速戸開閉動作となるよう低速戸開閉指令（図３（Ｂ５）、（Ｃ５））をドア開閉装置（図示せず）に出力して乗場側ドア１１、かご側ドア２１を制御し、同時に遠隔監視装置１０１へ故障検出信号（図３（Ｂ４）、（Ｃ４））を送信する。そして、遠隔監視装置１０１は、情報センター２００に対し故障の旨をセンサ故障発報（図３（Ｂ６）、（Ｃ６））として発報することができる。
【００２８】
図４は、この発明の実施の形態２に係るエレベータードアの引込まれ防止装置の光電装置の劣化診断動作を示すタイミングチャートである。
【００２９】
受光器６の劣化診断において、正常時には、図４（Ａ１）〜（Ａ４）に示すように、制御盤１００は、かご２０が走行中に投光器７を発光（ＯＮ）させる。受光器６が投光器７からの故障診断用光信号を、制御盤１００からの位置情報に基づき、投光器７が設置されている位置をかご２０が通過するタイミングで、基準値を上回る（基準値以上）レベルで受光（ＯＮ）すると、ドア制御装置１は受光器６が正常であると診断する。その結果、ドア制御装置１は、遠隔監視装置１０１へ劣化検出信号（ローレベル）を送信しない。また、遠隔監視装置１０１は、情報センター２００に対しセンサ劣化発報（ローレベル）として発報しない。
【００３０】
劣化検出時には、図４（Ｂ１）〜（Ｂ５）に示すように、制御盤１００は、かご２０が走行中に投光器７を発光（ＯＮ）させる。受光器６が投光器７からの故障診断用光信号を、投光器７が設置されている位置をかご２０が通過するタイミングで、基準値を下回る（基準値未満）レベルで受光（ＯＮ）すると、ドア制御装置１は受光器６が劣化していると診断する。その結果、ドア制御装置１は、遠隔監視装置１０１へ劣化検出信号（ハイレベル）を送信する。同時に、ドア制御装置１は、低速戸開閉動作となるよう低速戸開閉指令をドア開閉装置（図示せず）に出力して乗場側ドア１１、かご側ドア２１を制御する。また、遠隔監視装置１０１は、情報センター２００に対しセンサ劣化発報（ハイレベル）として発報する。
【００３１】
上述したように、光電装置のＯＦＦ／ＯＮ故障診断時に、受光器６の受光レベルを監視することにより、光電装置の劣化診断を行うことができる。つまり、受光レベルがある基準値を下回ることにより、受光器６の劣化を検出し（図４（Ｂ２））、ドア制御装置１により、低速戸開閉動作となるように制御し（図４（Ｂ４））、遠隔監視装置１０１に劣化検出信号（図４（Ｂ３））を送信し、情報センター２００にセンサ劣化の旨をセンサ劣化発報（図４（Ｂ５））として発報することができる。
【００３２】
図５は、この発明の実施の形態２に係るエレベータードアの引込まれ防止装置の反射板の汚れ診断動作を示すタイミングチャートである。
【００３３】
反射板３〜５の汚れ診断において、正常時には、図５（Ａ１）〜（Ａ６）に示すように、ドア制御装置１は、走行中に行う受光器６の劣化診断時の受光レベルをメモリに記憶し、着床時に行う受光器６の故障診断時の受光レベルと比較する。両者のレベル差が基準値を下回る（基準値未満）と、ドア制御装置１は反射板３〜５が正常であると診断する。その結果、ドア制御装置１は、遠隔監視装置１０１へ汚れ検出信号（ローレベル）を送信しない。同時に、ドア制御装置１は、ドア開閉装置（図示せず）へ低速戸開閉指令（ローレベル）を出力しない。また、遠隔監視装置１０１は、情報センター２００に対し反射板汚れ発報（ローレベル）として発報しない。なお、投光器２及び７の発光強度は同じである。また、汚れ診断を実施しない場合には、投光器２及び７の発光強度は異なっても良い。
【００３４】
汚れ検出時には、図５（Ｂ１）〜（Ｂ６）に示すように、ドア制御装置１は、走行中に行う受光器６の劣化診断時の受光レベルをメモリに記憶し、着床時に行う受光器６の故障診断時の受光レベルと比較する。両者のレベル差が基準値を上回る（基準値以上）と、ドア制御装置１は反射板３〜５の少なくともいずれかが汚れていると診断する。その結果、ドア制御装置１は、遠隔監視装置１０１へ汚れ検出信号（ハイレベル）を送信する。同時に、ドア制御装置１は、低速戸開閉動作となるよう低速戸開閉指令（ハイレベル）をドア開閉装置（図示せず）に出力して乗場側ドア１１、かご側ドア２１を制御する。また、遠隔監視装置１０１は、情報センター２００に対し反射板汚れ発報（ハイレベル）として発報する。
【００３５】
上述したように、着床時に受光器６の受光レベルを監視し、走行中に行う光電装置の劣化診断時の受光レベルと比較することにより、反射板３〜５の汚れ具合を診断することができる。つまり、劣化診断時の受光レベルと、着床時の受光器６の受光レベルのレベル差がある基準値を上回ることにより、反射板３〜５の全部あるいはどれかが汚れていることを検出し（図５（Ｂ３））、ドア制御装置１により、低速戸開閉動作となるように制御し（図５（Ｂ５））、遠隔監視装置１０１に汚れ検出信号（図５（Ｂ４））を送信し、情報センター２００に反射板が汚れている旨を反射板汚れ発報（図５（Ｂ６））として発報することができる。
【００３６】
なお、この実施の形態２は、上記の実施の形態１の変形例のなかで、受光器６がかご２０の下側であって、乗場１０側へ向かって取り付けられている場合で、投光器７からの故障診断用光信号を受光できる場合にも適用できる。
【図面の簡単な説明】
【００３７】
【図１】この発明の実施の形態１に係るエレベータードアの引込まれ防止装置の構成を側面からみた図である。
【図２】この発明の実施の形態２に係るエレベータードアの引込まれ防止装置の構成を側面からみた図である。
【図３】この発明の実施の形態２に係るエレベータードアの引込まれ防止装置の光電装置の故障診断動作を示すタイミングチャートである。
【図４】この発明の実施の形態２に係るエレベータードアの引込まれ防止装置の光電装置の劣化診断動作を示すタイミングチャートである。
【図５】この発明の実施の形態２に係るエレベータードアの引込まれ防止装置の反射板の汚れ診断動作を示すタイミングチャートである。
【符号の説明】
【００３８】
１  ドア制御装置、２  投光器、３  反射板、４  反射板、５  反射板、６  受光器、７  投光器、１０  乗場、１１  乗場側ドア、１２  乗場床、１３  乗場天井、２０  かご、２１  かご側ドア、１００  制御盤、１０１  遠隔監視装置、２００  情報センター。
【図１】
0004786329.tif 000002
【図２】
0004786329.tif 000003
【図３】
0004786329.tif 000004
【図４】
0004786329.tif 000005
【図５】
0004786329.tif 000006